(57)【要約】【課題】タブレット型デバイスの持ち運び性及び操作性が向上された装着具及び当該装着具に使用されるデバイス支持部材を提供する。【解決手段】装着具１は、使用者の胴部を巻回する胴体巻回部２１と、使用者の肩を通る肩掛け部２２，２３と、を有する装着部２と、タブレット型デバイスを支持する支持部３１と、支持部の一端に設けられて、装着部２に対して支持部３１を回動可能に固定する回動部３２と、支持部３１の他端に設けられて、装着部２に対して支持部３１を着脱可能に固定する着脱部３３と、を有するデバイス支持部材３と、を有する。【選択図】図１
2018023504.tif 000002
【特許請求の範囲】
【請求項１】
使用者の胴部を巻回する胴体巻回部と、前記使用者の肩を通る肩掛け部と、を有する装着部と、
タブレット型デバイスを支持する支持部と、前記支持部の一端に設けられて、前記装着部に対して前記支持部を回動可能に固定する回動部と、前記支持部の他端に設けられて、前記装着部に対して前記支持部を着脱可能に固定する着脱部と、を有するデバイス支持部材と、
を有する装着具。
【請求項２】
前記回動部は、前記装着部の前記胴体巻回部に対して前記支持部を固定する請求項１に記載の装着具。
【請求項３】
前記使用者の両肩を通るように、前記肩掛け部を２つ有する請求項１又は２に記載の装着具。
【請求項４】
前記回動部は、前記支持部に対して下方に設けられる請求項１〜３のいずれか一項に記載の装着具。
【請求項５】
使用者の胴部を巻回する胴体巻回部と、前記使用者の肩を通る肩掛け部と、を有する装着部に対して取り付けられるデバイス支持部材であって、
タブレット型デバイスを支持する支持部と、前記支持部の一端に設けられて、前記装着部に対して前記支持部を回動可能に固定することができる回動部と、前記支持部の他端に設けられて、前記装着部に対して前記支持部を着脱可能に固定する着脱部と、を有するデバイス支持部材。
【発明の詳細な説明】
【技術分野】
【０００１】
本発明は、装着具及びデバイス支持部材に関する。
【背景技術】
【０００２】
タブレット端末、タブレットＰＣ等のタブレット型デバイスの普及により設備点検等の作業現場においてもタブレット型デバイスの使用機会が増えている。そのため、タブレット型デバイスの携帯又は使用を補助するための部材が種々検討されている（例えば、特許文献１等）。
【先行技術文献】
【特許文献】
【０００３】
【特許文献１】特開２０１６−４９２６８号公報
【発明の概要】
【発明が解決しようとする課題】
【０００４】
しかしながら、作業現場では落下及び衝突に係るリスクが非常に大きく、持ち運び性及び操作性のさらなる向上が求められている。
【０００５】
本発明は上記を鑑みてなされたものであり、タブレット型デバイスの持ち運び性及び操作性が向上された装着具及び当該装着具に使用されるデバイス支持部材の提供を目的とする。
【課題を解決するための手段】
【０００６】
上記目的を達成するため、本発明の一形態に係る装着具は、使用者の胴部を巻回する胴体巻回部と、前記使用者の肩を通る肩掛け部と、を有する装着部と、タブレット型デバイスを支持する支持部と、前記支持部の一端に設けられて、前記装着部に対して前記支持部を回動可能に固定する回動部と、前記支持部の他端に設けられて、前記装着部に対して前記支持部を着脱可能に固定する着脱部と、を有するデバイス支持部材と、を有する。
【０００７】
また、本発明の一形態に係るデバイス支持部材は、使用者の胴部を巻回する胴体巻回部と、前記使用者の肩を通る肩掛け部と、を有する装着部に対して取り付けられるデバイス支持部材であって、タブレット型デバイスを支持する支持部と、前記支持部の一端に設けられて、前記装着部に対して前記支持部を回動可能に固定することができる回動部と、前記支持部の他端に設けられて、前記装着部に対して前記支持部を着脱可能に固定する着脱部と、を有する。
【０００８】
上記の装着具及びデバイス支持部材によれば、使用者の身体に装着される装着部に対して、タブレット型デバイスを支持するデバイス支持部材の支持部が回動部により回動可能に取り付けられている。この構造を有することで、使用者はタブレット型デバイスを手に持って移動する必要がなくなるため、タブレット型デバイスの持ち運び性が向上する。また、タブレット型デバイスの使用時には、装着具のデバイス支持部材の支持部が装着部に対して回動することで、使用者が使用できる状態へ容易にタブレット型デバイスを移動することができる。そのため、タブレット型デバイスを使用する際の操作性も向上する。
【０００９】
ここで、前記回動部は、前記装着部の前記胴体巻回部に対して前記支持部を固定する態様とすることができる。
【００１０】
装着部においては、使用者の胴部を巻回する胴体巻回部は、最も安定性が高い。したがって、上記のように、胴体巻回部に対して支持部を回動可能に固定する態様とすることで、タブレット型デバイスが取り付けられたデバイス支持部材をより安定して保持することができる。
【００１１】
また、前記使用者の両肩を通るように、前記肩掛け部を２つ有する態様とすることができる。
【００１２】
上記のように、２つの肩掛け部が使用者の両肩を通るように設けられていると、使用者の身体への装着部のフィット性が高められるため、タブレット型デバイスが取り付けられたデバイス支持部材をより安定して保持することができる。
【００１３】
また、前記回動部は、前記支持部に対して下方に設けられる態様とすることができる。
【００１４】
上記のように、回動部が、支持部に対して下方に設けられる場合、支持部の回動角度が小さくても、タブレット型デバイスの表示面を使用者が確認することを可能とすることができる。したがって、タブレット型デバイスを使用する際の取り扱い性が向上する。
【発明の効果】
【００１５】
本発明によれば、タブレット型デバイスの持ち運び性及び操作性が向上された装着具及び当該装着具に使用されるデバイス支持部材が提供される。
【図面の簡単な説明】
【００１６】
【図１】本発明の一形態に係る装着具の概略構成を説明する図である。
【図２】装着具におけるデバイス支持部材の動作について説明する図である。
【図３】装着具の使用例について説明する図である。
【図４】装着具における装着部の形状を変更した例について説明する図である。
【図５】装着具における装着部に対するデバイス支持部材の取り付け方を変形した例について説明する図である。
【発明を実施するための形態】
【００１７】
以下、添付図面を参照して、本発明を実施するための形態を詳細に説明する。なお、図面の説明においては同一要素には同一符号を付し、重複する説明を省略する。
【００１８】
図１は、本発明の一形態に係る装着具の概略構成を説明する図である。図２は、装着具におけるデバイス支持部材の動作について説明する図である。図３は、装着具の使用例について説明する図である。
【００１９】
本実施形態に係る装着具は、例えば、設備点検等の作業が行われる作業現場において、作業員により用いられる。図１等に示すように、装着具１は、使用者が装着具１を装着するための装着部２と、タブレット型デバイスを収容するデバイス支持部材３と、を有する。図１に示す装着具１は、所謂ハーネス型安全帯の上半身部分に対応するような構造を有している。
【００２０】
装着部２は、胴体巻回部２１と、胴体巻回部２１に対して連結する肩掛け部２２，２３と、肩掛け部２２，２３を連結する胸ベルト２４と、を有する。胴体巻回部２１は、帯状且つ環状の部材であり、使用者の胴部の周囲を巻回して装着される。なお、胴体巻回部２１は、面ファスナーやバックル等の係止手段によって使用者の胴部に対して固定可能とされていてもよい。また、胴体巻回部２１は、所定の幅を有する帯状の部材の端部同士をつなぐことで環状に形成されていてもよい。
【００２１】
肩掛け部２２，２３は、それぞれ帯状の部材でありその両端が胴体巻回部２１に対して連結されている。図１に示すように、２つの肩掛け部２２，２３は、それぞれ使用者の肩を通過した後に背面で交差するような形状をしているが、交差していなくてもよい。胴体巻回部２１と肩掛け部２２，２３とは、使用時は連結されるが、非使用時は分離可能な構成であってもよい。
【００２２】
胸ベルト２４は、使用者の胸の付近で上記の肩掛け部２２，２３を連結する帯状の部材である。肩掛け部２２，２３及び胸ベルト２４についても、バックル等の係止手段が設けられていても良い。
【００２３】
装着部２は、上記の構造を有することで、使用者の上半身に対して装着される。なお、装着部２に含まれる胴体巻回部２１、肩掛け部２２，２３及び胸ベルト２４を構成する材料や大きさ等については特に限定されない。
【００２４】
デバイス支持部材３は、装着部２に対して取り付けられて使用される部材である。デバイス支持部材３が支持するタブレット型デバイスとは、携帯型の板状の情報表示機能を有するコンピュータであり、一方の主面に液晶ディスプレイ等の表示画面が設けられているデバイスである。表示画面はタッチパネル機能を有した入出力インタフェースとなっている場合がある。なお、デバイス支持部材３により支持される対象のタブレット型デバイスは、通信機能等を有していてもよい。このように、タブレット型デバイスの構成及び機能については特に限定されない。
【００２５】
デバイス支持部材３は、タブレット型デバイスＤ（図２参照）を支持するための支持部３１と、支持部３１の一端側に設けられて、支持部３１を装着部２に対して回動可能な状態で装着部２に固定する回動部３２と、回動部３２が設けられている支持部３１の一端とは異なる他端部において、支持部３１を装着部２に対して着脱可能とする着脱部３３と、を有する。
【００２６】
支持部３１は、タブレット型デバイスＤを支持可能な形状であればよい。例えば、図１〜図３では、支持部３１がタブレット型デバイスＤの主面に対応した大きさの板状の部材である例を示しているが、支持部３１は、タブレット型デバイスＤの周縁に取り付けられる枠体のような形状であってもよい。また、支持部３１は、袋状の形状であって、タブレット型デバイスＤを内部に収容可能となっていてもよい。このように、支持部３１は、タブレット型デバイスＤを支持する機能を有している、すなわち、支持部３１に対するタブレット型デバイスＤの移動を規制することができる範囲で、種々の形状をとることができる。ただし、支持部３１に支持された状態のタブレット型デバイスＤで、装着具１の使用者がタブレット型デバイスＤの機能を利用可能な形状とされる。すなわち、支持部３１は、支持部３１に支持された状態のタブレット型デバイスＤの表示面を外部から確認可能な形状であることが好ましい。また、タブレット型デバイスＤの表示面がタッチパネル機能を有し、支持部３１の一部により覆われている場合には、支持部３１は、支持部３１を介してタッチパネルを利用可能な材質であることが好ましい。上記のような条件を満たす支持部３１としては、市販のタブレット型デバイスＤのケースが挙げられる。
【００２７】
回動部３２は、支持部３１を装着部２に対して回動可能に固定する機能を有する。回動部３２は、支持部３１の一端に設けられている。図１〜図３に示す装着具１の場合、回動部３２は、支持部３１に対して下方となる位置に設けられている。また、装着部２の胴体巻回部２１に対して、回動部３２による支持部３１の回動における回動軸が、胴体巻回部２１の延材方向である水平方向に沿って延びている。この回動軸の延びる方向は、支持部３１の下側の端部の延びる方向に沿っている。なお、装着具１においては、回動部３２は装着部２に対して固定されている例を示しているが、非使用時には回動部３２は装着部２に対して取り外し可能な構成であってもよい。この場合、回動部３２と装着部２とを分離することで、デバイス支持部材３自体を装着部２から取り外すことが可能となる。この場合、タブレット型デバイスＤを使用しない場合には、デバイス支持部材３を取り付けない状態で装着部２のみを使用することができる。また、デバイス支持部材３単体での持ち運びも可能となる。
【００２８】
なお、回動部３２の形状は特に限定されない。回動部３２は、支持部３１の端部に沿った回動軸を形成可能であり、回動軸を中心として装着部２に対して支持部３１を回動させることが可能であればよい。したがって、例えば、支持部３１の下側端部における互いに離間した２カ所を回動部３２として装着部２に対して固定する構成としても良い。この場合、回動部３２とされた２カ所を結ぶ線を回動軸として、支持部３１が装着部２に対して回動可能となるため、回動部３２は上記の要件を満たす構成といえる。また、回動部３２は、ヒンジのような構造を有していてもよいが、ヒンジのような回動軸が明らかな構造を有していなくてもよい。例えば、布のように柔らかい材料により装着部２を形成した場合、装着部２に対して単純に回動部３２を固定しただけでも、装着部２の変形を伴いながらではあるが、回動部３２により形成された回動軸を中心として支持部３１を回動させることができる。このように、回動部３２については、装着部２の形状等に応じて構成を適宜変更することができる。
【００２９】
着脱部３３は、支持部３１を装着部２に対して脱着可能に固定する機能を有する。着脱部３３は、支持部３１において、回動部３２とは離間する位置に設けられていることが好ましい。図１〜図３に示す装着具１の場合、回動部３２が、支持部３１に対して下方となる位置に設けられているのに対して、着脱部３３は、回動部３２よりも上方であって支持部３１に対して上方となる位置に設けられる。
【００３０】
着脱部３３は、例えば、面ファスナーやスナップボタン等により実現することができる。また、着脱部３３が脱着される相手側の装着部２にも、着脱部３３の脱着に必要な部材が取り付けられる。例えば、着脱部３３が面ファスナーである場合には、着脱部３３に面ファスナーのフック面を取り付け、装着部２において着脱部３３と対向する位置に面ファスナーのループ面を取り付けることができる。装着具１の場合には、着脱部３３に対して胸ベルト２４が対向するので、胸ベルト２４にループ面２５を取り付けることで着脱部３３が面ファスナーとして機能する。
【００３１】
支持部３１に対して回動部３２及び着脱部３３が設けられていることで、図２に示すように、デバイス支持部材３は、装着部２に対して回動可能となる。図２（Ａ）に示すように、着脱部３３が装着部２に対して固定されている状態では、回動部３２及び着脱部３３により、支持部３１が装着部２に対して接近した状態となる。一方、図２（Ｂ）に示すように、着脱部３３による装着部２への固定が解除された状態では、回動部３２は装着部２に対して固定されているが、着脱部３３は装着部２から離間した状態となるため、支持部３１が回動した状態となる。支持部３１はタブレット型デバイスＤを支持しているので、支持部３１の回動に応じてタブレット型デバイスＤも、回動部３２の回動軸を基準に装着部２に対して回動する。
【００３２】
なお、装着具１においては、支持部３１を回動させて装着部２から離間させた際に、タブレット型デバイスＤの表示面が上方を向くような形状であることが好ましい。図２に示すケースでは、タブレット型デバイスＤの表示面は、支持部３１との対向面とは逆側、すなわち、図２（Ａ）に示す状態で装着部２と対向する側に設けられる。この場合、図２（Ｂ）に示すように、支持部３１を回動させると、表示面が上方を向くような状態となる。
【００３３】
上記の装着具１の使用例について、図３を参照しながら説明する。前提として、装着具１の支持部３１により、タブレット型デバイスＤが支持されている状態とする。この場合、図３に示すように、使用者Ｍは、装着部２の胴体巻回部２１を胴部に対して取り付けられると共に、肩掛け部２２，２３が両肩を通るように、装着具１を装着する。この結果、装着具１の装着部２は、使用者Ｍの胴部及び両肩において使用者Ｍに対して固定される。使用者Ｍがタブレット型デバイスＤを使用しない場合には、図１及び図２（Ａ）に示すように、着脱部３３が装着部２に対して固定される。この状態では、タブレット型デバイスＤは、使用者Ｍの胸部〜胴部の前に配置される。
【００３４】
使用者Ｍがタブレット型デバイスＤを使用する場合には、図２（Ｂ）に示すように、装着部２から着脱部３３が離間するように、回動部３２を回動軸として支持部３１を回動する。その結果、タブレット型デバイスＤの表示面が上方となるようにタブレット型デバイスＤが回動する。この場合、図３に示すように、使用者Ｍが下方を向くとタブレット型デバイスＤの表示面を見ることができるような状態となる。そのため、使用者Ｍは、支持部３１上のタブレット型デバイスＤの表示面を容易に閲覧することができる。
【００３５】
なお、図２（Ｂ）及び図３に示すように、支持部３１の回動角度を９０°以下とした場合でも、タブレット型デバイスＤの表示面を使用者が確認できる状態となる。したがって、図２（Ｂ）に示すように、支持部３１と装着部２とを接続するテープ３４を予め設けておき、着脱部３３による装着部２への固定が解除された状態での支持部３１の回動角度を規制する構成としてもよい。
【００３６】
使用者Ｍがタブレット型デバイスＤの使用を終了すると、回動部３２を回動軸として支持部３１を回動させて、デバイス支持部材３の着脱部３３が装着部２に対して固定するような状態とする。すると、図２（Ａ）に示すように装着部２に対して支持部３１が固定される状態となる。
【００３７】
このように、本実施形態に係る装着具１及び装着具１に使用されるデバイス支持部材３によれば、使用者Ｍの身体に装着される装着部２に対して、タブレット型デバイスＤを支持するデバイス支持部材３の支持部３１が回動可能に取り付けられている。この構造を有することで、使用者Ｍはタブレット型デバイスＤを手に持って移動する必要がなくなるため、タブレット型デバイスＤの持ち運び性が向上する。また、タブレット型デバイスＤは装着具１のデバイス支持部材３によって支持されるため、使用者Ｍが移動する際にタブレット型デバイスＤが落下する危険性が軽減される。
【００３８】
また、タブレット型デバイスＤの使用時には、装着具１のデバイス支持部材３の支持部３１が装着部２に対して回動することで、使用者Ｍが使用できる状態へ容易にタブレット型デバイスＤを移動することができる。そして、装着部２に対して回動可能に固定された支持部３１によってタブレット型デバイスＤが支持されているため、使用時にもタブレット型デバイスＤが使用者Ｍを保持しなくてもよい状態が実現される。そのため、タブレット型デバイスＤを使用する際の操作性も向上する。
【００３９】
さらに、本実施形態に係る装着具１では、装着部２が胴体巻回部２１と肩掛け部２２，２３を有していることで、使用者Ｍの身体に装着部２を装着した際の装着部２の移動等を抑制することができる。従来から、環状の肩掛けバンド等を使用してタブレット型デバイスを保持する機構は検討されていた。しかしながら、作業現場等のような装置類が多数設けられるような環境では、肩掛けバンドの回転等によってタブレット型デバイスを保持する位置が思いがけず変わってしまうことで、タブレット型デバイスもしくは装置類が破損する可能性が高くなることが考えられる。そのため、作業現場でタブレット型デバイスを使用する際には、例えば、収納ケースを堅牢にすることや、落下防止のためのハーネス取り付け等、種々の対策が施されていた。これに対して、本実施形態に係る装着具１では、使用者Ｍの胴体及び肩に対して、胴体巻回部２１と肩掛け部２２，２３を有する装着部２が取り付けられる。装着部が仮に胴体巻回部２１のみであると、環状のバンドと同様に使用者Ｍの胴部の周囲を装着部が回転する可能性が考えられる。しかしながら、装着部２は、胴体巻回部２１に連結する肩掛け部２２，２３を有していることで、肩掛け部２２，２３が胴体巻回部２１の使用者Ｍの胴部回りの回転を規制することができる。このように、装着具１の装着部２は、使用者Ｍの胴部を巻回する胴体巻回部２１に加えて使用者Ｍの肩を通る肩掛け部２２，２３を有していることで、使用者Ｍの身体の周囲の回転等の装着部２の移動を抑制することができる。このため、装着部２に対して回動部３２により固定されるデバイス支持部材３の位置の変化、すなわち、タブレット型デバイスＤを支持する位置の変化を抑制することができることから、不慮の移動によるタブレット型デバイスの破損等を防ぐことが可能となる。
【００４０】
また、上記の装着具１のように、回動部３２が胴体巻回部２１に対して回動可能に固定されていると、デバイス支持部材３の安定性が向上する。装着具１を使用者Ｍが装着している状態では、肩掛け部２２，２３等と比較して、胴体巻回部２１は身体へのフィット性が高く、移動する可能性が低いと考えられる。そのため、この胴体巻回部２１に対して回動部３２を取り付けると、タブレット型デバイスＤを支持した状態であって重量が大きくなっているデバイス支持部材３についても好適に保持することが可能となる。
【００４１】
また、上記の装着具１のように、回動部３２が、支持部３１に対して下方となる位置に設けられているのに対して、着脱部３３は、回動部３２よりも上方となる位置に設けられると、支持部３１の回動角度が小さくても、タブレット型デバイスＤの表示面を使用者が確認することができる。したがって、タブレット型デバイスＤを使用する際の取り扱い性が向上する。
【００４２】
なお、装着部２に対するデバイス支持部材３の取り付け位置（高さ、左右の位置等）については、適宜変更することができる。デバイス支持部材３の支持部３１がタブレット型デバイスＤを支持する位置に応じて、使用者Ｍがタブレット型デバイスの表示面を確認する際の見やすさ等が変化すると考えられる。また、装着部２の形状等に応じて、デバイス支持部材３を取り付けることが可能な位置も変化すると考えられる。したがって、種々の条件を考慮して、装着部２に対するデバイス支持部材３の取り付け位置を変更することができる。
【００４３】
（変形例）
図４及び図５を参照しながら、変形例に係る装着具について説明する。
【００４４】
まず、図４を参照しながら、装着具１における装着部の形状を変更した例について説明する。図４（Ａ）は、ベスト型の装着部２Ａを有する装着具１Ａの例を示している。ベスト型の装着部２Ａは、例えば、ボタンやファスナー等によって前面等が開閉可能であってもよい。また、ベスト型の装着部２Ａに対して袖を取り付けて所謂ジャケット型の装着部にしてもよい。装着部２Ａにおいても、装着具１の装着部２とは形状が異なるが、胴体巻回部２１及び肩掛け部２２，２３を有している。ベスト型の装着部２Ａの場合、前身頃及び後身頃によって上半身の胴部の大半が覆われるため、胴体巻回部２１の幅（上下方向の長さ）が大きくなる。したがって、デバイス支持部材３は、胴体巻回部２１において、装着具１と同様に支持部３１の下方に回動部３２が設けられると共に支持部３１の上方に着脱部３３が設けられた状態で取り付けられる。
【００４５】
したがって、装着具１の装着部２と同様に、使用者Ｍの身体に装着部２Ａを装着した際の装着部２Ａの移動が抑制される。また、装着具１Ａは、装着具１と同様に、デバイス支持部材３を有していることで、タブレット型デバイスの持ち運び性及び操作性が向上する。
【００４６】
図４（Ｂ）では、装着具１と比較して、一方の肩のみに肩掛け部２２が設けられた装着部２Ｂを有する装着具１Ｂの例を示している。装着部２Ｂでは、胴体巻回部２１及び肩掛け部２２を有している。装着具１Ｂでは、肩掛け部２２は、所謂斜め掛け可能状態となるように、水平方向に延びる胴体巻回部２１に対して斜めに延びるように設けられている。また、デバイス支持部材３は、装着具１と同様に支持部３１の下方の回動部３２が胴体巻回部２１に対して固定されるが、支持部３１の上方の着脱部３３は、肩掛け部２２に対して脱着可能に取り付けられる。
【００４７】
このように、肩掛け部２２が一方の肩のみである場合にも、装着具１の装着部２と同様に、使用者Ｍの身体に装着部２Ｂを装着した際の装着部２Ｂの移動が抑制される。また、装着具１Ｂは、装着具１と同様に、デバイス支持部材３を有していることで、タブレット型デバイスの持ち運び性及び操作性が向上する。装着具１Ｂのように、肩掛け部２２を一方の肩のみに設ける場合、装着部２Ｂの小型化が可能となると共に、使用者が装着具１Ｂの取り外しを簡便に行うことができる。一方、装着具１のように、両肩を通る肩掛け部２２，２３を有していると、装着具１Ｂと比較して、使用者の身体への装着部のフィット性が高められるため、タブレット型デバイスが取り付けられたデバイス支持部材３をより安定して保持することができる。
【００４８】
このように、装着具における装着部の形状は適宜変更することができる。また、上記実施形態で説明した装着具１、及び、図４（Ａ），（Ｂ）で示した装着具１Ａ，１Ｂにおける装着部の形状とは異なる形状の装着部としてもよい。
【００４９】
次に、図５を参照しながら、装着具における装着部に対するデバイス支持部材の取り付け方を変形した例を説明する。
【００５０】
上記の実施形態では、支持部３１に対して回動部３２を下方とし、着脱部３３を上方とする場合について説明した。この場合、タブレット型デバイスを支持する支持部３１の回動軸が支持部３１よりも下方となる。したがって、支持部３１は、上方の移動量が大きく、下方の移動量が小さくなる。これに対して、支持部３１の回動軸が支持部３１よりも上方となるように、回動部３２及び着脱部３３の取り付け位置を変更することもできる。
【００５１】
図５（Ａ），（Ｂ）に示す装着具１Ｃでは、デバイス支持部材３Ａにおける支持部３１の上方に回動部３２が取り付けられ、下方に着脱部３３が取り付けられている。装着具１Ｃの装着部２の形状は、装着具１と同様である。したがって、装着具１Ｃでは、着脱部３３が胴体巻回部２１に対して脱着可能に取り付けられると共に、回動部３２が胸ベルト２４に対して固定される。
【００５２】
図５（Ａ）に示すように、着脱部３３が装着部２に対して固定されている状態では、回動部３２及び着脱部３３により、支持部３１が装着部２に対して接近した状態となる。この状態は、図２（Ａ）の状態とほぼ同じである。ただし、タブレット型デバイスＤの表示面は、外側（装着部と対向する側とは逆側）に設けられる。この点は、装着具１とは異なる。
【００５３】
次に、図５（Ｂ）に示すように、着脱部３３による装着部２への固定が解除された状態では、上方の回動部３２は装着部２の胸ベルト２４に対して固定されているが、着脱部３３は装着部２の胴体巻回部２１から離間した状態となるため、支持部３１が回動した状態となる。支持部３１はタブレット型デバイスＤを支持しているので、支持部３１の回動に応じてタブレット型デバイスＤも、回動部３２の回動軸を基準に装着部２に対して回動する。ただし、図２（Ｂ）とは異なり、タブレット型デバイスＤの表示面を使用者が確認できる状態にするには、支持部３１の回動角度を９０°以上とする必要がある。また、装着具１Ｃでは、タブレット型デバイスＤの表示面を使用者が確認できる状態でのタブレット型デバイスＤの高さ位置が、装着具１とは異なるため、装着部２に対するデバイス支持部材３の取り付け位置について、装着具１とは異なる調整を行うことが好ましい。
【００５４】
以上、本発明の実施形態について説明したが、本発明は上述の実施形態に限定されるものではない。
【００５５】
例えば、タブレット型デバイスＤの形状等に応じて、支持部３１の形状を変更することができる。また、必要に応じて、タブレット型デバイスの表示面を保護するような保護カバーを別途設けてもよい。
【符号の説明】
【００５６】
１，１Ａ，１Ｂ，１Ｃ…装着具、２，２Ａ，２Ｂ…装着部、３，３Ａ…デバイス支持部材、２１…胴体巻回部、２２，２３…肩掛け部、３１…支持部、３２…回動部、３３…着脱部。
【図１】
2018023504.tif 000003
【図２】
2018023504.tif 000004
【図３】
2018023504.tif 000005
【図４】
2018023504.tif 000006
【図５】
2018023504.tif 000007